(57)【特許請求の範囲】
【請求項１】
所定の大きさのコンクリート板の一面にトラス筋が適宜間隔をもって配筋され、これらのトラス筋間に軽量型枠が配設されたプレキャストコンクリート板が、梁間に隣接状態で複数配設されて下床が形成され、該下床にトップコンクリートが打設されて形成されたコンクリートスラブにおいて、前記下床の少なくとも両端側に配設されたプレキャストコンクリート板の中央部のトラス筋を境にした内側のトラス筋間には軽量型枠が配設され、中央部のトラス筋を境にした外側のトラス筋間の中央部または両端部には前記軽量型枠よりも小さな小型軽量型枠が配設され、これらの軽量型枠間にはトラス筋と交差する横筋が配筋され、該横筋のうちの何本かは、一端部のプレキャストコンクリート板から中央部のプレキャストコンクリート板を横切って、他端部のプレキャストコンクリート板にまで配筋されたことを特徴とするコンクリートスラブ。
【請求項２】
所定の大きさのコンクリート板の一面に適宜間隔をもって配筋されたトラス筋のうちの中央部のトラス筋を境にした内側のトラス筋間には軽量型枠が配設され、中央部のトラス筋を境にした外側のトラス筋間における中央部または両端部には前記軽量型枠よりも小さな小型軽量型枠が配設された薄肉プレキャストコンクリート板が、梁間の両端部側に配設され、この薄肉プレキャストコンクリート板の間には、所定の大きさのコンクリート板の一面に適宜間隔をもって配筋されたトラス筋間に軽量型枠が配設された薄肉プレキャストコンクリート板と、複合薄肉プレキャストコンクリート板とが隣接状態で配設されて下床が形成され、該下床にはトップコンクリートが打設され、この下床における軽量型枠間にはトラス筋と交差する横筋が配筋され、該横筋のうちの何本かは、一端部の薄肉プレキャストコンクリート板から中央部の薄肉プレキャストコンクリート板および複合薄肉プレキャストコンクリート板とを横切って、他端部の薄肉プレキャストコンクリート板にまで配筋され、前記複合薄肉プレキャストコンクリート板は所定の大きさのコンクリート板を所定のエリアに分割し、一方のエリアに背の高いトラス筋を上部が突出するように適宜間隔をもって配筋し、他方のエリアには背の低いトラス筋を上部が突出するように適宜間隔をもって配筋し、前記背の高いトラス筋と背の低いトラス筋の端部をコンクリート板の所定箇所で上下に重ね合わせて配筋し、これらの背の高いトラス筋と背の低いトラス筋との高低差をもって段差部が形成されたことを特徴とするコンクリートスラブ。
【請求項３】
請求項１または２に記載のコンクリートスラブを備えたことを特徴とする構築物。
【発明の詳細な説明】
【０００１】
【発明の属する技術分野】
本発明はコンクリートスラブおよび構築物に関するものである。
【０００２】
【従来の技術】
鉄筋コンクリート造などの建物は、ほとんどがプレキャストコンクリート板でコンクリートスラブを構築しており、図１８に示すように、トラス筋３３間に軽量型枠３４を配設したプレキャストコンクリート板３５を梁３６間に隣接状態で敷設してコンクリートスラブ３７を形成している。
【０００３】
【発明が解決しようとする課題】
しかし、上記のようなコンクリートスラブは、プレキャストコンクリート板のトラス筋が長辺方向にしか配筋されていないため、荷重が前記トラス筋に沿った一方向にしか流れず、特に大きなせん断力が作用する周辺部においては偏った配筋となっていた。
【０００４】
本発明はこれらの問題に鑑みてなされたものであり、その目的は、周辺部をそこに作用するせん断力に耐えられる強さとし、かつ周辺部の荷重が二方向に流れるコンクリートスラブおよび構築物を提供することである。
【０００５】
【課題を解決するための手段】
以上の課題を解決するための手段は、請求項１の発明が、所定の大きさのコンクリート板の一面にトラス筋が適宜間隔をもって配筋され、これらのトラス筋間に軽量型枠が配設されたプレキャストコンクリート板が、梁間に隣接状態で複数配設されて下床が形成され、該下床にトップコンクリートが打設されて形成されたコンクリートスラブにおいて、前記下床の少なくとも両端側に配設されたプレキャストコンクリート板の中央部のトラス筋を境にした内側のトラス筋間には軽量型枠が配設され、中央部のトラス筋を境にした外側のトラス筋間の中央部または両端部には前記軽量型枠よりも小さな小型軽量型枠が配設され、これらの軽量型枠間にはトラス筋と交差する横筋が配筋され、該横筋のうちの何本かは、一端部のプレキャストコンクリート板から中央部のプレキャストコンクリート板を横切って、他端部のプレキャストコンクリート板にまで配筋されたことを特徴とする。
【０００６】
請求項１の発明によれば、トップコンクリートが多く打設されたコンクリートスラブの周辺部が強化されて、そこに作用するせん断力に耐えられる強さになるとともに、周辺部に作用する荷重が二方向に流れるようになる。
【０００７】
また請求項２の発明は、所定の大きさのコンクリート板の一面に適宜間隔をもって配筋されたトラス筋のうちの中央部のトラス筋を境にした内側のトラス筋間には軽量型枠が配設され、中央部のトラス筋を境にした外側のトラス筋間における中央部または両端部には前記軽量型枠よりも小さな小型軽量型枠が配設された薄肉プレキャストコンクリート板が、梁間の両端部側に配設され、この薄肉プレキャストコンクリート板の間には、所定の大きさのコンクリート板の一面に適宜間隔をもって配筋されたトラス筋間に軽量型枠が配設された薄肉プレキャストコンクリート板と、複合薄肉プレキャストコンクリート板とが隣接状態で配設されて下床が形成され、該下床にはトップコンクリートが打設され、この下床における軽量型枠間にはトラス筋と交差する横筋が配筋され、該横筋のうちの何本かは、一端部の薄肉プレキャストコンクリート板から中央部の薄肉プレキャストコンクリート板および複合薄肉プレキャストコンクリート板とを横切って、他端部の薄肉プレキャストコンクリート板にまで配筋され、前記複合薄肉プレキャストコンクリート板は所定の大きさのコンクリート板を所定のエリアに分割し、一方のエリアに背の高いトラス筋を上部が突出するように適宜間隔をもって配筋し、他方のエリアには背の低いトラス筋を上部が突出するように適宜間隔をもって配筋し、前記背の高いトラス筋と背の低いトラス筋の端部をコンクリート板の所定箇所で上下に重ね合わせて配筋し、これらの背の高いトラス筋と背の低いトラス筋との高低差をもって段差部が形成されたことを特徴とする。
【０００８】
請求項２の発明によれば、周辺部が強化されたコンクリートスラブに段差部が容易に形成できる。
【０００９】
また請求項３の発明は、上記のコンクリートスラブを備えたことを特徴とする構築物。
【００１０】
請求項３の発明によれば、周辺部が強化され、かつ周辺部に作用する荷重をトラス筋および横筋に沿って二方向に流せるコンクリートスラブを備えた構築物が構築できる。
【００２９】
【発明の実施の形態】
以下、本発明のプレキャストコンクリート板の実施の形態を図１〜図８に基づいて説明した後、図９〜図１７に基づいてコンクリートスラブの実施の形態について説明する。
【００３０】
図１はプレキャストコンクリート板の平面図、図２は図１のＡ−Ａ線断面図、図３の（１）は図１のＢ−Ｂ線断面図、（２）は同Ｃ−Ｃ線断面図である。
【００３１】
プレキャストコンクリート板（以下薄肉ＰＣ板という）１は、平面矩形のコンクリート板２と、該コンクリート板２の長辺方向に沿って配筋されたトラス筋３と、該トラス筋３間に配設された軽量型枠４とから構成されている。
【００３２】
トラス筋３は上部がコンクリート板２の上面から突出した状態で適宜間隔ごとに５本配筋され、中央部のトラス筋３を境にした一方のトラス筋３間に軽量型枠４が配設されているが、他方のトラス筋３間には軽量型枠４は配設されていない。したがって、この軽量型枠４が配設されていない箇所には、軽量型枠４が配設された箇所よりも多くのコンクリートが打設できる。
【００３３】
このトラス筋３は、三角形状に配置された一本の上弦筋（トップ筋）６と二本の下弦筋（下端筋）７が波形のラチス筋８で接合されたトラスであり、上弦筋６側がコンクリート板２の上面から突出しているとともに、下弦筋７がコンクリート板２内の曲げ補強筋９に接合されている。なお、トラス筋３は上記のようなものに限定されず、一本の上弦筋と一本の下弦筋を波型のラチス筋で接合したトラスであってもよい。
【００３４】
軽量型枠４は高さがトラス筋３よりも低く、かつ打設されるコンクリートによって圧壊しないものが用いられ、具体的には、発泡ポリスチレンのようなビーズ型内発泡成形による合成樹脂発泡成形品が使用されるが、その他にもエチレン系樹脂、プロピレン系樹脂等からなる発泡成形品等を使用することも可能である。また軽量型枠４の材質としては、コンクリートに対して軽量であれば特に限定されるものではなく、中空鋼管などであってもよい。なお、軽量型枠４は図１において８個配設されているが、大きさを変えることによりこれ以下またはこれ以上配設することもできる。
【００３５】
図４の（１）および（２）は、端部のトラス筋３間に軽量型枠４を配設せずに、残りのトラス筋３間に軽量型枠４を配設した薄肉ＰＣ板１ａ、１ｂである。同図の（１）は同じ大きさの軽量型枠４を配設した薄肉ＰＣ板１ａであり、（２）は一部に小型軽量型枠５を配設した薄肉ＰＣ板１ｂである。このように一部に小型軽量型枠５を配設すると、これらの間にトラス筋３と交差する横筋を配筋することができる。またこれとは反対に、端部のトラス筋間だけに軽量型枠を配設し、残りのトラス筋間には軽量型枠を配設しない薄肉ＰＣ板とすることもでき（図示せず）、必要強度に応じて軽量型枠の配設箇所を変えることができる。
【００３６】
また図６は、コンクリート板２の中央部のトラス筋３を境にした一方のトラス筋３間に配設された軽量型枠４の配設間隔が、他方のトラス筋３間に配設された軽量型枠４の配設間隔よりも広い薄肉ＰＣ板１ｃである。この配設間隔が広い軽量型枠４間には、配設間隔が狭い軽量型枠４間よりも多くのトップコンクリートが打設できる。この広い配設間隔の幅は強度に応じて任意の幅に設定することができる。また図６に示すように、広い配設間隔の軽量型枠４は２列に限定されるものでなく、１列または２列以上であってもよい。
【００３７】
図７および図８は、コンクリート板２の中央部における軽量型枠４またはコンクリート板２の端部における軽量型枠４が、他の軽量型枠４よりも小さな小型軽量型枠５を配設した薄肉ＰＣ板１ｄ、１ｅ、１ｆである。図７の（１）は、コンクリート板２の中央部のトラス筋３を境にした一方のトラス筋３間の中央部に小型軽量型枠５を配設した薄肉ＰＣ板１ｄである。また同図の（２）は、コンクリート板２の中央部に小型軽量型枠５を配設した薄肉ＰＣ板１ｅである。さらに図８は、コンクリート板２の中央部のトラス筋３を境にした一方のトラス筋３間の両端部に小型軽量型枠５を配設した薄肉ＰＣ板１ｆである。なお、前記小型軽量型枠５の大きさおよび配設間隔は必要に応じて変えることができ、かつ大きさの異なる小型軽量型枠５を等間隔、または異なった間隔ごとに配設することもできる（図示せず）。
【００３８】
図９は図１の薄肉ＰＣ板１を使用したコンクリートスラブ１０を示し、長尺梁１１と短尺梁１２とで囲まれた空間部の両端部、すなわち短尺梁１２側のみに薄肉ＰＣ板１が敷設されるとともに、これらの薄肉ＰＣ板１の間に通常の薄肉ＰＣ板１３が隣接状態で敷設されて下床１４が形成され、該下床１４にスラブ上端筋１５を配筋してトップコンクリート１６が打設されている。
【００３９】
下床１４における両端部の薄肉ＰＣ板１には、中央部のトラス筋３を境にした一方のトラス筋３間に軽量型枠４が配設されるが、他方のトラス筋３間には軽量型枠４は配設されていない。したがって、図１０に示すように、トップコンクリート１６が打設されると短尺梁１２の周辺部が強化されたコンクリートスラブ１０が形成される。前記のトラス筋３としては、前記と同様に三角トラスやＩ形トラスを使用することもできる。
【００４０】
また、前記両端部における薄肉ＰＣ板１には、トラス筋３と直交した横筋１７が配筋されているため、薄肉ＰＣ板１同士、および薄肉ＰＣ板１と短尺梁１２との一体性が強くなってコンクリートスラブ１０全体としての強度が大きくなるとともに、短尺梁１２の周辺部に作用する荷重を二方向に流すことができる。さらに、薄肉ＰＣ板１、１３と長尺梁１１との間には連結筋１９が配筋されている。
【００４１】
この横筋１７は、下床１４における一端部の薄肉ＰＣ板１から中央部の薄肉ＰＣ板１３を横切って、他端部の薄肉ＰＣ板１にまで配筋され、単数または複数に束ねた異形鉄筋やトラス筋を使用するものとし、所定長さのものを溶接などで接続して形成する。
【００４２】
また横筋１７は、図１１に示すように、薄肉ＰＣ板１と短尺梁１２の接合部、および相互の薄肉ＰＣ板１の接合部にのみ配筋することもできる。
【００４３】
図１２および図１３は、図４の薄肉ＰＣ板１ａ、１ｂ、すなわち端部のトラス筋３間に軽量型枠４が配設されていない薄肉ＰＣ板１ａ、１ｂを、短尺梁１２側に配設したコンクリートスラブ１０ａ、１０ｂである。このうち図１３のコンクリートスラブ１０ｂの両端部の薄肉ＰＣ板１ｂには、一部に小型軽量型枠５が配設されており、これらの小型軽量型枠５間に横筋１８が配筋されて短尺梁１２との一体性を強め、かつ周辺部も強化し、そこに作用する荷重を二方向に流すようにしている。
【００４４】
図１４は、図６の薄肉ＰＣ板１ｃを、長尺梁１１と短尺梁１２とで囲まれた空間部の両端部、すなわち短尺梁１２側のみに配設したコンクリートスラブ１０ｃである。配設間隔の広い軽量型枠４間には横筋１７が配筋されるとともに、配設間隔が狭い軽量型枠４間よりも多くのトップコンクリート１６が打設されている。したがってコンクリートスラブ１０ｃの周辺部にはトップコンクリート１６が多く打設されて剛性が大きくなっているため、そこに作用するせん断力に耐えられる強さになるとともに、周辺部に作用する荷重が二方向に流れるようになっている。
【００４５】
図１５は、長尺梁１１と短尺梁１２とで囲まれた空間部の両端部、すなわち短尺梁１２側に図７の（１）の薄肉ＰＣ板１ｄを配設したコンクリートスラブ１０ｄである。前記薄肉ＰＣ板１ｄの中央部の小型軽量型枠４間には多くの横筋１８が配筋され、これに沿って前記中央部に作用する荷重が流れるようになっている。
【００４６】
図１６は、図１の薄肉ＰＣ板１を使用し、かつ段差部を備えたコンクリートスラブ２０であり、長尺梁２１と短尺梁２２とで囲まれた空間部の両端部、すなわち短尺梁２２側に敷設された薄肉ＰＣ板１と、これらの間に敷設された通常の薄肉ＰＣ板１３と、複合プレキャストコンクリート板（以下複合薄肉ＰＣ板）２３とから下床２４が形成され、該下床２４にスラブ上端筋２５が配筋されてトップコンクリート２６が打設されている。
【００４７】
複合薄肉ＰＣ板２３は、分割された二つのエリア２７、２８のうちの一方のエリア２７に背の高いトラス筋２９が長辺方向に沿って配筋され、これらの間に軽量型枠４が配設されている。一方、他方のエリア２８には背の低いトラス筋３０が適宜間隔ごとに配筋されて、その端部が背の高いトラス筋２９に重ね配筋されている。この重ね配筋はトラス筋２９、３０同士を横に添わせる以外に、図１２の（２）に示すように、上下に重ね合わせることもできる。これにより重ね合わせ部における強度をさらに強めることができるとともに、トラス筋２９、３０同士を横に添わせて配筋する手間が省ける。
【００４８】
したがって、図１７の（１）および（２）に示すように、複合薄肉ＰＣ板２３における背の低いトラス筋３０と他の背の高いトラス筋３、２９との間に高低差が生じ、これをもってトップコンクリート２６が打設されて、同図の（３）に示すような段差部３１が形成される。
【００４９】
なお、このコンクリートスラブ２０には図１の薄肉ＰＣ板１に代わって、図４図６、図７、図８の薄肉ＰＣ板１ａ、１ｂ、１ｃ、１ｄ、１ｅ、１ｆを使用することもでき、前記のコンクリートスラブ１０、１０ａ、１０ｂ、１０ｃ、１０ｄと同じ効果を達成することができる。
【００５０】
また図９、図１２、図１３、図１４、図１５、図１６のコンクリートスラブ１０、１０ａ、１０ｂ、１０ｃ、１０ｄ、２０においては、横筋が一端部の薄肉ＰＣ板から他端部の薄肉ＰＣ板にかけて配筋されているが、図１１に示すような横筋の配筋とすることもできる。
【００５１】
また図９、図１１、図１２、図１３、図１４および図１５のコンクリートスラブ１０、１０ａ、１０ｂ、１０ｃ、１０ｄによる鉄骨造、鉄筋コンクリート造および鉄骨鉄筋コンクリート造の構築物を構築すると、周辺部が強化され、かつ周辺部に作用する荷重をトラス筋および横筋に沿って二方向に流せるコンクリートスラブ１０、１０ａ、１０ｂ、１０ｃ、１０ｄを備えた構築物（図示せず）が構築できる。
【００５２】
【発明の効果】
薄肉ＰＣ板内における強度に変化を与えること、すなわち軽量型枠が配設されていない部分の強度を、軽量型枠が配設された部分よりも大きくすることができる。
【００５３】
小型軽量型枠を配設した箇所にはトラス筋と交差する横筋を多数配筋することができる。
【００５４】
トップコンクリートが他よりも多く打てる間隙部をコンクリート板上に形成することができる。
【００５５】
コンクリートスラブの周辺部が強化されて、そこに作用するせん断力に耐えられるようになる。
【００５６】
コンクリートスラブにおける小型軽量型枠が配設された箇所にはトラス筋と交差する横筋を配筋する空間部が形成できる。
【００５７】
トップコンクリートが多く打設されたコンクリートスラブの周辺部が強化されて、そこに作用するせん断力に耐えられる強さになる。
【００５８】
周辺部が強化されたコンクリートスラブに段差部を容易に形成することができる。
【００５９】
コンクリートスラブの短尺梁側の中央部に作用する荷重を横筋に沿って流すことができる。
【００６０】
コンクリートスラブの周辺部に作用する荷重をトラス筋および横筋に沿って二方向に流すことができる。
【００６１】
コンクリートスラブにおける両端部のプレキャストコンクリート板と中央部のプレキャストコンクリート板との一体性を高める。
【００６２】
周辺部が強化され、かつ周辺部に作用する荷重をトラス筋および横筋に沿って二方向に流せるコンクリートスラブを備えた構築物が構築できる。
【図面の簡単な説明】
【図１】薄肉ＰＣ板の平面図である。
【図２】図１のＡ−Ａ線断面図である。
【図３】（１）は図１のＢ−Ｂ線断面図、（２）は同Ｃ−Ｃ線断面図である。
【図４】（１）および（２）は他の薄肉ＰＣ板の平面図である。
【図５】図４の（１）のＤ−Ｄ線断面図である。
【図６】他の薄肉ＰＣ板の平面図である。
【図７】（１）および（２）は他の薄肉ＰＣ板の平面図である。
【図８】他の薄肉ＰＣ板の平面図である。
【図９】コンクリートスラブの一部切欠平面図である。
【図１０】図９のＥ−Ｅ線断面図である。
【図１１】他のコンクリートスラブの一部切欠平面図である。
【図１２】他のコンクリートスラブの一部切欠平面図である。
【図１３】他のコンクリートスラブの一部切欠平面図である。
【図１４】他のコンクリートスラブの一部切欠平面図である。
【図１５】他のコンクリートスラブの一部切欠平面図である。
【図１６】（１）は段差部を備えたコンクリートスラブの一部切欠平面図、（２）はトラス筋の重ね配筋の断面図である。
【図１７】（１）は図１６のＦ−Ｆ線断面図、（２）は同Ｇ−Ｇ線断面図、（３）はトップコンクリートを打設して形成した段差部の断面図である。
【図１８】従来の薄肉ＰＣ板を敷設したコンクリートスラブの平面図である。
【符号の説明】
１、１ａ、１ｂ、１ｃ、１ｄ、１ｅ、１ｆ、１３、３５  薄肉ＰＣ板
２  コンクリート板
３、２９、３０、３３  トラス筋
４、５、３４  軽量型枠
６  上弦筋
７  下弦筋
８  ラチス筋
９  曲げ補強筋
１０、１０ａ、１０ｂ、１０ｃ、１０ｄ、２０、３７  コンクリートスラブ
１１、２１  長尺梁
１２、２２  短尺梁
１４、２４  下床
１５、２５  スラブ上端筋
１６、２６  トップコンクリート
２３  複合薄肉ＰＣ板
１７、１８  横筋
１９  連結筋
２７、２８  エリア
３１  段差部
３６  梁
【図１】
0003751763.tif 000002
【図２】
0003751763.tif 000003
【図３】
0003751763.tif 000004
【図４】
0003751763.tif 000005
【図５】
0003751763.tif 000006
【図６】
0003751763.tif 000007
【図７】
0003751763.tif 000008
【図８】
0003751763.tif 000009
【図９】
0003751763.tif 000010
【図１０】
0003751763.tif 000011
【図１１】
0003751763.tif 000012
【図１２】
0003751763.tif 000013
【図１３】
0003751763.tif 000014
【図１４】
0003751763.tif 000015
【図１５】
0003751763.tif 000016
【図１６】
0003751763.tif 000017
【図１７】
0003751763.tif 000018
【図１８】
0003751763.tif 000019